(57)【要約】【課題】裏蓋の開閉検出と、巻戻し操作部の操作検出とを一つのスイッチで兼用させるスイッチ切換え方法を提供する。【解決手段】「分岐処理」では、カメラの裏蓋が開放（Ｓ１＝オン）されてから閉じられた（Ｓ１＝オフ）時に、マイクロコンピュータのＲＡＭ内に記憶されている、カメラの動作状態を表す状態データが参照される。この状態データが、写真フイルムの１コマ給送が継続して行なわれている状態を表す「コマ送り中」、又はフイルムパトローネが装填されて予備巻き処理が実行された直後の状態を表す「予備巻き中」であるときには、巻戻し操作部が操作されたものと判定して、「リワインド処理」を実行する。また、状態データが、「リワインド処理」後にセットされる「初期状態」である時には、新しいフイルムパトローネが装填されたものと判定して、「予備巻き処理」を実行する。【選択図】        図９
2004309573.tif 000002
【特許請求の範囲】
【請求項１】
パトローネ室とフイルム室とを開閉する蓋部材と、パトローネ室に装填されたフイルムパトローネから写真フイルムを引き出してフイルム室の巻取軸に巻き付け、最初に撮影が行なわれるコマを撮影位置にセットする初期コマセット処理と、撮影毎に１コマ分の写真フイルムを給送するコマ送り処理と、フイルム室内の写真フイルムを全てパトローネ内に巻き戻すリワインド処理とを行なうフイルム給送機構と、フイルム給送機構に強制的にリワインド処理を行なわせる巻戻し操作部とを備えたカメラにおいて、
前記蓋部材の開閉と巻戻し操作部の操作とを検出する一つのスイッチと、このスイッチがオン又はオフされた際に、蓋部材の開閉あるいは巻戻し操作部の操作の何れが行なわれたかを判定する判定手段と、フイルム給送機構の処理状態を記憶し、異なる処理が実行されるまで記憶内容を保持する記憶手段とを設け、
前記判定手段は、
スイッチの状態が切り換わったことを検出するステップと
記憶手段を参照してフイルム給送機構の処理状態を確認するステップと、
記憶手段の記憶内容が初期コマセット処理又はコマ送り処理ではない場合に、パトローネ室にフイルムパトローネが装填されたものと判定して、該フイルム給送機構に初期コマセット処理を行なわせるステップと
記憶手段の記憶内容が初期コマセット処理又はコマ送り処理である場合に、巻戻し操作部が操作されたものと判定して、該フイルム給送機構にリワインド処理を行なわせるステップとを実行することを特徴とするカメラのスイッチ切換え方法。
【請求項２】
パトローネ室とフイルム室とを開閉する蓋部材と、パトローネ室に装填されたフイルムパトローネから写真フイルムを引き出してフイルム室の巻取軸に巻き付け、最初に撮影が行なわれるコマを撮影位置にセットする初期コマセット処理と、撮影毎に１コマ分の写真フイルムを給送するコマ送り処理と、フイルム室内の写真フイルムを全てパトローネ内に巻き戻すリワインド処理とを行なうフイルム給送機構と、フイルム給送機構に強制的にリワインド処理を行なわせる巻戻し操作部とを備えたカメラにおいて、
前記蓋部材の開閉と巻戻し操作部の操作とを検出する一つのスイッチと、このスイッチがオン又はオフされた際に、蓋部材の開閉あるいは巻戻し操作部の操作の何れが行なわれたかを判定する判定手段と、パトローネ室内のフイルムパトローネの有無を記憶し、フイルムパトローネが装填または取り出されるまで記憶内容を保持する記憶手段とを設け、
前記判定手段は、
スイッチの状態が切り換わったことを検出するステップと
記憶手段を参照してフイルムパトローネの有無を確認するステップと、
記憶手段の記憶内容が「フイルム無し」である場合に、パトローネ室にフイルムパトローネが装填されたものと判定して、該フイルム給送機構に初期コマセット処理を行なわせるステップと
記憶手段の記憶内容が「フイルム在り」である場合に、巻戻し操作部が操作されたものと判定して、該フイルム給送機構にリワインド処理を行なわせるステップとを実行することを特徴とするカメラのスイッチ切換え方法。
【発明の詳細な説明】
【０００１】
【発明の属する技術分野】
本発明は、カメラに関し、更に詳しくは、一つのスイッチを用いて蓋部材の開閉と巻戻し操作部の操作とを検出するスイッチ切換え方法に関するものである。
【０００２】
【従来の技術】
パトローネ室にフイルムパトローネが装填された際に写真フイルムの先端をフイルム室の巻取軸に係止し、最初に撮影が行なわれるコマを撮影位置にセットする初期コマセット処理と、撮影操作に連動して１コマ分の写真フイルムを自動的に巻き上げるコマ送り処理と、全てのコマへの撮影が終了した後に写真フイルムをパトローネ内に巻き戻すリワインド処理とを行なうフイルム給送機構を備えたカメラが知られている。
【０００３】
上記カメラは、パトローネ室及びフイルム室を開閉する裏蓋の状態を検出するスイッチと、写真フイルムの給送状態を検出するスイッチとを備えている。そして、裏蓋が開放状態から閉じ状態へと移行した際に新しいフイルムパトローネが装填されたものと判断して、フイルム給送機構に初期コマセット処理を行なわせている。この初期コマセット処理中の一定時間内に、写真フイルムの給送が検出されないときには、フイルムパトローネが装填されずに裏蓋が開閉された、または給送の検出に失敗したと判断してフイルム給送機構の初期コマセット処理が停止される。
【０００４】
また、カメラの使用途中において、種類の異なる写真フイルムを使用する必要が生じる場合や、プリント作成を急ぐ必要が生じることがある。このような時に、使用途中のフイルムパトローネをカメラから取り出せるようにするため、フイルム給送機構に強制的にリワインド処理を行なわせる巻戻し操作部を備えたカメラも知られている。この巻戻し操作部の操作状態は、スイッチによって検出される。
【０００５】
【特許文献１】
特開平０８−１９０１１９号公報
【特許文献２】
特開平１１−１８４０００号公報
【０００６】
【発明が解決しようとする課題】
近年のカメラは、小型化及び低価格化のために、各種機構の簡素化や部品点数の削減等が図られている。特に、同様の機能や目的を持つ部品が複数設けられている場合には、それらの部品を共通化及び兼用化して部品点数を削減することが行なわれている（例えば、特許文献１及び２参照）。上述のフイルム給送機構を備えたカメラでは、裏蓋の開閉を検出するスイッチと、巻戻し操作部の操作を検出するスイッチとを兼用化することが模索されている。そのため、スイッチが反応した際に、裏蓋が開閉されたのか、それとも巻戻し操作部が操作されたのかを簡単に、またローコストに判断する方法の開発が望まれていた。
【０００７】
本発明は、上記課題を解決するためのもので、一つのスイッチによって、裏蓋の開閉検出と、巻戻し操作部との操作検出とを行なうスイッチ切換え方法を提供することを目的とする。
【０００８】
【課題を解決するための手段】
上記問題点を解決するために、本発明のカメラのスイッチ切換え方法は、スイッチの状態が切り換わったことを検出するステップと、記憶手段を参照してフイルム給送機構の処理状態を確認するステップと、記憶手段の記憶内容が初期コマセット処理又はコマ送り処理ではない場合に、パトローネ室にフイルムパトローネが装填されたものと判定して、該フイルム給送機構に初期コマセット処理を行なわせるステップと、記憶手段の記憶内容が初期コマセット処理又はコマ送り処理である場合に、巻戻し操作部が操作されたものと判定して、該フイルム給送機構にリワインド処理を行なわせるステップとを判定手段に実行させるようにしたものである。これによれば、非常に簡単に、また安価にスイッチの切り換えを実施することができる。また、スイッチの個数を削減できるので、カメラのコスト及び組立工数、組込みスペースを削減することができる。
【０００９】
また、記憶手段に記憶する内容としては、パトローネ室内のフイルムパトローネの有無を記憶してもよい。この場合、フイルムパトローネが無いときにスイッチの状態が切り換わった際には、フイルムパトローネが装填されたものと判断して、初期コマセット処理を実施する。同様に、フイルムパトローネが在るときにスイッチの状態が切り換わった場合には、フイルムパトローネの取り出し操作が行なわれたものと判断して、リワインド処理を行なう。
【００１０】
【発明の実施の形態】
図１は、本発明を実施したカメラの外観形状を示す斜視図である。カメラ２は、大きく分けて、本体基部３（図３参照）と、この本体基部３の前面及び上面の一部を覆う前カバー４と、本体基部３の背面及び上面の一部を覆う後カバー５及び裏蓋６と、本体基部３に組み込まれるシャッタ機構及びフイルム給送機構等から構成されている。このカメラ２は、１３５タイプのフイルムパトローネを使用する。
【００１１】
上記シャッタ機構には、撮影後の写真フイルムの１コマ送りによってシャッタチャージを行ない、シャッタレリーズ時にはシャッタチャージによって蓄えられたバネ力を利用してシャッタ羽根を開閉する簡易なものが用いられている。また、フイルム給送機構は、モータと複数のギヤと写真フイルムを巻き取る巻取軸とからなる。フイルム給送機構は、写真フイルムの先端を巻取軸に係止して全て巻き取り、最初に撮影が行なわれるコマを撮影位置にセットする予備巻き処理（初期コマセット処理を含む）と、パトローネ内に写真フイルムの全てを巻き戻すリワインド処理とを行なう。なお、カメラ２のフイルム給送機構には、フイルムパトローネが装填された時に全ての写真フイルムをパトローネから引き出して巻取軸に巻き取り、撮影毎に１コマ分ずつパトローネ内に写真フイルムを巻き戻していくプレワインド方式が用いられている。
【００１２】
カメラ２の前面及び上面には、周知の撮影レンズ８，対物側ファインダ窓９，ストロボ発光部１０，ストロボ操作部１１，レンズバリア操作部１２，シャッタボタン１３，残り撮影枚数表示窓１４，ストロボ充電表示窓１５等が設けられている。このカメラ２は、電源スイッチを備えていない。そのため、カメラ２の不使用時には、省電力モードであるスタンバイモードにセットされ、裏蓋操作部１７や巻戻し操作部１８、シャッタボタン１３が操作された時に、スタンバイモードから撮影モードへと移行する。
【００１３】
カメラ２の一方の側面には、裏蓋６を開放する際に操作される裏蓋操作部１７と、フイルム給送機構にリワインド処理を実行させる巻戻し操作部１８とが設けられている。裏蓋操作部１７は、前カバー４と裏蓋６とで構成されるスリット４ａ内に納められ、このスリット４ａの下方に位置するロック位置と、上方に位置する解除位置との間でスライドされ、保持される。巻戻し操作部１８は、前カバー４に形成された開口４ｂ内に納められており、カメラ２内に押し込むように押圧操作される。
【００１４】
図２は、カメラ２から前カバー４を取り外した状態を示す斜視図であり、図３は、本体基部３と裏蓋６との外観を示す斜視図である。本体基部３には、フイルムパトローネが装填される略円筒形状のパトローネ室２１と、フイルムパトローネから引き出された写真フイルムが巻き上げられるフイルム室２２と、前面に撮影開口２３が形成された遮光筒２４とが一体に形成されている。パトローネ室２１とフイルム室２２とは、フイルムパトローネの装填及び取り出しのために背面側が開口されている。
【００１５】
裏蓋６は、長方形の板形状をしており、一方の短辺に設けられた軸着部６ａを利用して本体基部３の背後に回動自在に取り付けられる。裏蓋６の他方の短辺６ｂには、裏蓋６のロックに用いられる係合爪６ｃと、裏蓋６の開放時に用いられる押圧突起６ｄとが一体に設けられている。
【００１６】
本体基部３のパトローネ室２１の側面には、裏蓋操作部１７と巻戻し操作部１８とが一体に形成された操作部材２７が、上下方向でスライド自在となるように取り付けられる。操作部材２７は略Ｌ字形状をしており、長辺部分の上下位置に長孔２８がそれぞれ形成されている。これらの長孔２８には、パトローネ室２１の側面に一体に形成されたガイド突起２９がそれぞれ挿入され、操作部材２７の上下方向での移動をガイドする。操作部材２７の上部側面と、パトローネ室２１の側面とには、引っ張りバネ３０の端部がそれぞれ掛けられるバネ掛け爪３１，３２がそれぞれ一体に形成されている。引っ張りバネ３０は、操作部材２７を下方に引っ張って、裏蓋操作部１７を下方のロック位置に付勢する。
【００１７】
パトローネ室２１の側面に対面する操作部材２７の裏面には、裏蓋６の係合爪６ｃと係合する係合溝（図示せず）が形成されている。この係合溝と係合爪６ｃとの係合は、操作部材２７が下方にスライドされている時、すなわち裏蓋操作部１７が下方のロック位置にあるときに行なわれ、裏蓋操作部１７が上方の解除位置にスライドされた時に解除される。
【００１８】
操作部材２７の下端には、弾性自在な保持爪３５が一体に形成されている。図４に示すように、この保持爪３５は、裏蓋操作部１７がロック位置にあるときに、パトローネ室２１の側面に形成された略三角形状のロック用突起３６の傾斜面に当接している。図５に示すように、裏蓋操作部１７を上方の解除位置に移動させると、保持爪３５はロック用突起３６の傾斜に沿って弾性変形し、ロック用突起３６を乗り越えてこれに係合する。これにより、裏蓋操作部１７は、引っ張りバネ３０の付勢に抗して解除位置に保持される。
【００１９】
裏蓋操作部１７が解除位置に移動されると、保持爪３５はその弾性によって裏蓋６の突起６ｄを押圧する。これにより、操作部材２７の上方への移動によって係合爪６ｃと係合溝との係合が解除されている裏蓋６は開放される。また、開放状態にある裏蓋６を閉じると、裏蓋６の突起６ｄが操作部材２７の保持爪３５を押圧して弾性変形させ、ロック用突起３６との係合を解除させる。これにより、操作部材２７は引っ張りバネ３０の付勢によって下方にスライドし、裏面の係合溝を係合爪６ｃに係合させて裏蓋６をロックする。
【００２０】
巻戻し操作部１８は、略円柱形状をしており、その先端は湾曲形状のカメラ２の外装面に合わせて傾斜されている。巻戻し操作部１８は、操作部材２７に対して弾性自在となるように形成された屈曲部３８に一体に形成されている。屈曲部３８には、パトローネ室２１の外周面に沿い、該パトローネ室２１の前面近傍に配置されるカム部３９が一体に形成されている。このように、裏蓋操作部１７と巻戻し操作部１８とカム部３９とを一体に形成することにより、部品点数及び組立工数が削減されるため、ローコスト化を図ることができる。また、組込みスペースも小さくなるため、カメラの小型化に貢献することができる。
【００２１】
本体基部３の前面に取り付けられるプリント基板４２の前面には、裏蓋操作部１７のスライド操作と巻戻し操作部１８の押圧操作とを検出する裏蓋スイッチ４３が取り付けられている。この裏蓋スイッチ４３は、一対の金属接片４３ａ，４３ｂをプラスチック等の絶縁性を有するホルダー４３ｃで保持したリーフ型スイッチであり、両方の金属接片４３ａ，４３ｂが離れている時にオフし、互いに接触した時にオンとなる。
【００２２】
図４に示すように、裏蓋スイッチ４３の金属接片４３ａの先端は、操作部材２７のカム部３９の上方に配置される。金属接片４３ａの先端には、カム部３９との当接をスムースにするために、プラスチック製のパッド４３ｄが取り付けられている。裏蓋操作部１７がロック位置にある時、すなわち裏蓋６が閉じられている時と、巻戻し操作部１８が押圧されていない時には、金属接片４３ａはカム部３９に当接しないため、裏蓋スイッチ４３はオフ状態が維持される。
【００２３】
これに対し、図５に示すように、裏蓋操作部１７が解除位置にスライドされて裏蓋６が開放されると、カム部３９によってパッド４３ｄが押圧され、金属接片４３ａは弾性変形して他方の金属接片４３ｂに接触する。また、図６に示すように、巻戻し操作部１８が押圧操作された場合には、屈曲部３８の弾性変形によってカム部３９がパッド４３ｄを押圧し、金属接片４３ａを弾性変形させて他方の金属接片４３ｂに接触させる。これらの場合には、裏蓋スイッチ４３がオン状態となる。これにより、裏蓋操作部１７及び巻戻し操作部１８の操作を一つの裏蓋スイッチ４３で検出することができるので、部品点数及び組立工数が削減されるため、ローコスト化を図ることができる。また、組込みスペースも小さくなるため、カメラの小型化に貢献することができる。
【００２４】
プリント基板４２の前面には、裏蓋スイッチ４３の他に、シャッタボタン１３の押下操作を検出するレリーズスイッチ４６と、ストロボ操作部１１のスライド操作を検出するストロボスイッチ４７と、シャッタレリーズに連動してストロボ回路を作動させ、ストロボ発光部１０を発光させるシンクロスイッチ４８とが取り付けられている。レリーズスイッチ４６は、シャッタボタン１３が押下された時にオンし、シャッタボタン１３の押下が解除された時にオフする。
【００２５】
また、図７のブロック図に示すように、プリント基板４２には、シャッタ機構の状態（チャージ状態か否か）を検出するシャッタチャージスイッチ５１と、写真フイルムの給送状態を検出する給送検出スイッチ５２とがリード線等を用いて接続されている。シャッタチャージスイッチ５１は、シャッタ機構がチャージ状態にあるときにオフし、非チャージ状態にあるときにオンする。給送検出スイッチ５２は、写真フイルムのパーフォレーションに噛合して従動回転するスプロケットの１回転を検出し、スプロケットの回転に連動してオン／オフを繰り返す。スプロケットは、写真フイルムの１コマ分の給送に従動して１回転するため、スプロケットの１回転を検出することで、写真フイルムの１コマ分の給送を検知することができる。
【００２６】
更に、プリント基板４２の裏面には、カメラ２全体の動作を制御するマイクロコンピュータ５４が取り付けられている。上述の裏蓋スイッチ４３，レリーズスイッチ４６，シャッタチャージスイッチ５１，給送検出スイッチ５２は、マイクロコンピュータ５４にＳＢ，Ｓ１，ＳＨＣ，ＳＰＦの各信号を入力する。また、プリント基板４２には、フイルム給送機構５５の動力源となるモータ５６を駆動するモータドライバ５７と、ストロボ発光部１０内のストロボ放電管及びストロボスイッチ４７，シンクロスイッチ４８を含むストロボ回路５８とが形成されている。マイクロコンピュータ５４には、電池５９から電力が供給される。
【００２７】
判定手段であるマイクロコンピュータ５４は、ＣＰＵ５４ａと、このＣＰＵ５４ａの動作プログラムが記憶されたＲＯＭ５４ｂと、カメラ２の動作状態を表す状態データが適宜記憶される記憶手段であるＲＡＭ５４ｃとからなる。その他、マイクロコンピュータ５４には、給送検出スイッチ５２のＳＰＦ信号をカウントするＳＰＦカウンタ５４ｄと、タイマー５４ｅとが組み込まれている。本実施形態で用いられるマイクロコンピュータ５４は、例えば、４ビットＣＰＵと数バイト〜数キロバイト程度のＲＯＭ及びＲＡＭを内蔵した非常に安価なものであり、カメラ２のコストに影響を及ぼすことはない。
【００２８】
ＲＡＭ５４ｃに記憶される状態データは、「初期状態」，「予備巻き中」，「コマ送り中」の３種類からなる。「初期状態」は、フイルムパトローネが未装填、又はフイルムパトローネが装填済みでリワインド処理が完了している状態を表す。「予備巻き中」は、フイルムパトローネが装填済みで予備巻き処理の実行中であることを表す。また、「コマ送り中」は、フイルムパトローネが装填済みで１コマ給送処理の実行中であることを表す。ＣＰＵ５４ａは、カメラ２の動作状態に応じてＲＡＭ５４ｃの状態データを適宜書き換え、かつ参照することで、現在のカメラ２の動作状態を確認し、次に実行すべき処理の決定に用いる。
【００２９】
マイクロコンピュータ５４は、モータ駆動信号ＭＤ１〜ＭＤ３をモータドライバ５７に入力する。ＭＤ１はモータ５６を正転させる正転信号であり、ＭＤ２はモータ５６を逆転させる逆転信号である。また、ＭＤ３は、モータ５６の回転を停止させるブレーキ信号である。
【００３０】
ストロボ回路５８には、ストロボ充電の禁止又は許可を指示するストロボ充電禁止信号（ＦＩＮＨ信号）がマイクロコンピュータ５４から入力される。このストロボ充電禁止信号は、Ｈレベル（オン）の時に充電を禁止し、Ｌレベル（オフ）の時に充電を許可する。なお、各信号の内容と、状態データの内容とを以下の表１と表２とに記載する。
【００３１】
【表１】
2004309573.tif 000003
【００３２】
【表２】
2004309573.tif 000004
【００３３】
マイクロコンピュータ５４が行なうカメラ２の制御には、裏蓋スイッチ４３がオン又はオフされた際に、裏蓋操作部１７と巻戻し操作部１８との何れが操作されたのかを判定し、その判定結果に応じてフイルム給送機構５５を動作させる制御も含まれている。以下、裏蓋スイッチ４３がオン／オフされた際のマイクロコンピュータ５４の制御方法について説明する。
【００３４】
カメラ２には電源スイッチが設けられていない。そのため、不私用時のカメラ２は、図８のフローチャートに示す「スタンバイ処理」によって、省電力なスタンバイモードにセットされる。このスタンバイモードにおいて、シャッタボタン１３や裏蓋操作部１７，巻戻し操作部１８が操作されると、スタンバイモードが解除されて「分岐処理」が実行される。
【００３５】
図９のフローチャートに示す「分岐処理」では、「スタンバイ処理」，「レリーズ処理」，「予備巻き処理」，「リワインド処理」の何れの処理をカメラ２に実行させるかが判定される。「レリーズ処理」は、シャッタレリーズと１コマ給送処理とを実行する。「予備巻き処理」は、装填直後のフイルムパトローネから写真フイルムを引き出して巻取軸に係止する。「予備巻き処理」には、全ての写真フイルムをフイルム室２２内に巻き上げる「プレワインド処理」と、最初の撮影コマを撮影位置にセットする「初期コマセット処理」とが含まれる。「リワインド処理」は、写真フイルムを全てパトローネ内に巻き戻す。
【００３６】
「分岐処理」では、オフのストロボ充電禁止信号がストロボ回路５８に入力されてストロボ充電が許可される。次いで、裏蓋スイッチ４３がオフ（裏蓋：閉じ状態、又は巻戻し操作部：不操作状態）で、かつレリーズスイッチ４６がオフ（シャッタボタン：不操作状態）であることが確認される。両条件が満たされた場合、「スタンバイ処理」が実行され、カメラ２は省電力なスタンバイモードに復帰する。
【００３７】
また、上記とは異なり、レリーズスイッチ４６がオン（シャッタボタン：操作状態）である時には、「レリーズ処理」が実行される。同様に、裏蓋スイッチ４３がオン（裏蓋：開放状態、又は巻戻し操作部：操作状態）から、オフ（裏蓋：閉じ状態、又は巻戻し操作部：不操作状態）に移行した場合には、開放されていた裏蓋６が閉じられた場合、若しくは巻戻し操作部１８が押圧操作された場合のいずれかとなる。この時には、マイクロコンピュータ５４のＣＰＵ５４ａがＲＡＭ５４ｃに記憶されている状態データを参照して、カメラ２の現在の動作状態が確認される。
【００３８】
ＲＡＭ５４ｃに記憶されている状態データが「初期状態」であるときは、フイルムパトローネが未装填、又はフイルムパトローネ装填済みでリワインドが完了していることを表している。そのため、マイクロコンピュータ５４は、裏蓋６が開放されて新たなフイルムパトローネが装填され、その後に裏蓋６が閉じられたものと判定し、「予備巻き処理」を実行する。また、ＲＡＭ５４ｃの状態データが「予備巻き中」又は「コマ送り中」である場合には、巻戻し操作部１８が操作されたものと判定し、「リワインド処理」を実行する。このように、マイクロコンピュータ５４の簡易な判定処理によって、裏蓋操作部１７と巻戻し操作部１８との何れが操作されたかを判定することができるので、一つの裏蓋スイッチ４３だけで裏蓋操作部１７と巻戻し操作部１８との操作を検出することができる。
【００３９】
図１０に示すように、「予備巻き処理」では、マイクロコンピュータ５４からストロボ回路５８にオンのストロボ充電禁止信号が入力され、ストロボ充電が禁止される。これは、予備巻き処理とストロボ充電とが同時に行なわれて電力不足が生じるのを防止するためである。次いで、モータドライバ５７に正転信号ＭＤ１が入力され、モータ５６が正転を開始する。モータ５６の正転により、フイルム室２２内の巻取軸は写真フイルムを巻き取る方向に回転し、外周に写真フイルムの先端を係止する。
【００４０】
モータ５６の正転開始後、マイクロコンピュータ５４はＳＰＦカウンタ５４ｄにカウント値「４」をセットし、タイマー５４ｅをスタートさせる。カメラ２に新しいフイルムパトローネが装填されている場合には、写真フイルムの巻き上げに連動してスプロケットが従動回転し、給送検出スイッチ５２がオン／オフを繰り返す。ＳＰＦカウンタ５４ｄは、給送検出スイッチ５２のＳＰＦ信号がオンからオフに切り換わる時にカウント値を「１」減算する。また、タイマー５４ｅは、ＳＰＦ信号オン／オフを繰り返す毎にリセットされる。ＳＰＦカウンタ５４ｄのカウント値が「０」になった場合、すなわち４コマ分の長さの写真フイルムが巻取軸に巻き取られると、パトローネ内の写真フイルムが全てフイルム室２２に巻き上げられる「プレワインド処理」が実行される。
【００４１】
また、上記説明とは異なり、モータ５６の正転開始後に給送検出スイッチ５２のＳＰＦ信号が変化せず、この変化しない時間がタイマー５４ｅの設定時間をオーバーした場合には、マイクロコンピュータ５４はフイルムパトローネが装填されなかったものと判定して、モータドライバ５７にブレーキ信号ＭＤ３を入力してモータ５６の回転を停止し、「分岐処理」を実行する。
【００４２】
なお、ＳＰＦ信号の変化を待っている期間に、裏蓋操作部１７若しくは巻戻し操作部１８が操作された場合にも、マイクロコンピュータ５４はフイルムパトローネが装填されていないものと判定して、モータ５６の回転を停止させ、「分岐処理」を実行する。また、ＳＰＦ信号の変化を待っている期間に、シャッタボタン１３が操作された場合には、図１１に示す処理Ａ〜Ｂが実行される。この処理では、シャッタボタン１３の操作が解除されるまでモータ５６の回転を停止させ、シャッタボタン１３の操作解除後にモータ５６を再度正転させてタイマー５４ｅをリセットし、ＳＰＦ信号の変化を待つ。
【００４３】
図１２に示すように、「プレワインド処理」では、ＲＡＭ５４ｃに「予備巻き中」の状態データが記憶される。その後、「予備巻き処理」と同様にタイマー５４ｅがセットされ、ＳＰＦ信号の変化が確認される。写真フイルムがフイルム室２２に巻き上げられている間は、ＳＰＦ信号は常に変化するため、その都度タイマー５４ｅはリセットされる。ＳＰＦ信号の不変化時間がタイマー５４ｅの設定時間をオーバーした場合には、マイクロコンピュータ５４は写真フイルムが全てフイルム室２２内に巻き上げられたものと判定し、モータ５６の回転を停止させて「初期コマセット処理」を実行する。
【００４４】
また、この「プレワインド処理」においても、ＳＰＦ信号の変化の待機中に裏蓋スイッチ４３がオンした場合には、モータ５６の停止後「分岐処理」が実行される。同様に、ＳＰＦ信号の変化の待機中にレリーズスイッチ４６がオンした場合には、図１１の処理Ａ〜Ｂが実行され、シャッタボタン１３の操作が解除されるまでモータ５６の回転を停止させ、シャッタボタン１３の操作解除後にタイマー５４ｅをリセットして、再度ＳＰＦ信号の変化を待つ。
【００４５】
「初期コマセット処理」では、写真フイルムを２コマ分程度パトローネ内に巻き戻して停止させ、最初に撮影が行なわれるコマとしてセットする。
【００４６】
図１３は、「リワインド処理」のフローチャートである。この「リワインド処理」では、マイクロコンピュータ５４は、ストロボ回路５８によるストロボ充電を禁止し、モータドライバ５７に逆転信号ＭＤ２を入力してモータ５６を逆転させ、タイマー５４ｅをスタートさせる。モータ５６の逆転開始後、マイクロコンピュータ５４はＳＰＦ信号の変化を確認し、ＳＰＦ信号が変化しなくなってからタイマー５４ｅの設定時間の経過後に、モータ５６を短時間（例えば、１５０ｍｓｅｃ）だけ正転させる。これは、新たなフイルムパトローネの装填時に実行される「予備巻き処理」に備え、フイルム給送機構のギヤのバックラッシュを解消するためである。その後、モータ５６の回転が停止され、「分岐処理」が実行される。
【００４７】
この「リワインド処理」においても、ＳＰＦ信号の変化の待機中に裏蓋スイッチ４３がオンした場合には、モータ５６の停止後「分岐処理」が実行される。同様に、ＳＰＦ信号の変化の待機中にレリーズスイッチ４６がオンした場合には、シャッタボタン１３の操作が解除されるまでモータ５６の回転を停止させ、シャッタボタン１３の操作解除後にタイマー５４ｅをリセットして、再度ＳＰＦ信号の変化を待つ。
【００４８】
なお、上記実施形態では、１３５タイプのフイルムパトローネを使用するカメラを例に説明したが、ＡＰＳタイプのフイルムカートリッジを使用するカメラにも適用することができる。また、フイルムパトローネの装填直後に写真フイルムを全てフイルム室内に巻き取り、１コマの撮影毎にパトローネ内に巻き戻していく予備巻き方式のカメラを例に説明したが、１コマの撮影毎にパトローネから写真フイルムがフイルム室内に巻き上げられていく順巻き式のカメラにも、本発明を適用することができる。
【００４９】
【発明の効果】
以上説明したように、本発明のカメラのスイッチ切換え方法は、簡単な制御によって、一つのスイッチを蓋部材の開閉検出と巻戻し操作部の操作検出とに兼用させることができるので、部品点数と、組立工数と、組込みスペースと削減することができ、カメラのローコスト化と小型化とに寄与することができる。
【図面の簡単な説明】
【図１】本発明を実施したカメラの外観形状を示す斜視図である。
【図２】前カバーを取り外したカメラの外観形状を示す斜視図である。
【図３】本体基部及び裏蓋及び操作部材の外観形状を示す斜視図である。
【図４】裏蓋操作部及び巻戻し操作部が不操作時の操作部材及び裏蓋スイッチの状態を示す説明図である。
【図５】裏蓋操作部が解除位置にある際の操作部材及び裏蓋スイッチの状態を示す説明図である。
【図６】巻戻し操作部が押圧操作されている際の操作部材及び裏蓋スイッチの状態を示す説明図である。
【図７】カメラの構成を示すブロック図である。
【図８】カメラのスタンバイ処理のフローチャートである。
【図９】カメラの分岐処理のフローチャートである。
【図１０】カメラの予備巻き処理のフローチャートである。
【図１１】予備巻き処理及びプレワインド処理にて実行される処理Ａ〜Ｂのフローチャートである。
【図１２】カメラのプレワインド処理のフローチャートである。
【図１３】カメラのリワインド処理のフローチャートである。
【符号の説明】
２  カメラ
６  裏蓋
１３  シャッタボタン
１７  裏蓋操作部
１８  巻戻し操作部
２７  操作部材
３９  カム部
４２  プリント基板
４３  裏蓋スイッチ
４６  レリーズスイッチ
５１  シャッタチャージスイッチ
５２  給送検出スイッチ
５４  マイクロコンピュータ
５５  フイルム給送機構
５６  モータ
５７  モータドライバ
【図１】
2004309573.tif 000005
【図２】
2004309573.tif 000006
【図３】
2004309573.tif 000007
【図４】
2004309573.tif 000008
【図５】
2004309573.tif 000009
【図６】
2004309573.tif 000010
【図７】
2004309573.tif 000011
【図８】
2004309573.tif 000012
【図９】
2004309573.tif 000013
【図１０】
2004309573.tif 000014
【図１１】
2004309573.tif 000015
【図１２】
2004309573.tif 000016
【図１３】
2004309573.tif 000017